(57)【特許請求の範囲】
【請求項１】
固定鏡筒の外周に、回転操作可能に操作リングを支持したＣＣＴＶカメラ用レンズ鏡筒において、
上記固定鏡筒に上記操作リングと同軸に抑え部材を回転可能に支持し、
上記操作リングに径方向の貫通穴を設け、
上記抑え部材に光軸と平行な方向に曲折したねじ座板を設け、このねじ座板に、先端部に形成したストッパ軸部が操作リングの上記貫通穴に摺動自在に進入して固定鏡筒に当接可能な固定ねじを螺合させたことを特徴とするＣＣＴＶカメラ用レンズ鏡筒の操作リング固定装置。
【請求項２】
請求項１記載の操作リング固定装置において、上記操作リングは焦点距離変更リングであるＣＣＴＶカメラ用レンズ鏡筒の操作リング固定装置。
【請求項３】
請求項１または２記載の操作リング固定装置において、上記操作リングは合成樹脂製であるＣＣＴＶカメラ用レンズ鏡筒の操作リング固定装置。
【発明の詳細な説明】
【０００１】
【技術分野】
本発明は、ＣＣＴＶカメラ（監視カメラ）用レンズ鏡筒の操作リング固定装置に関する。
【０００２】
【従来技術およびその問題点】
ＣＣＴＶカメラ用レンズ鏡筒では一般に、設置状況に応じて焦点距離（画角）を設定（変更）することが行われる。この焦点距離の設定は、カメラ設置時あるいは条件変更時に焦点距離変更リングを回動させて行われるが、設定後に不用意に焦点距離が変化するのは好ましくない。特に、バリフォーカルレンズでは、焦点距離が変化してしまうと、フォーカスリングによる再合焦操作が必要になるため、固定する必要がある。
【０００３】
このため従来、焦点距離変更リング（操作リング）に径方向のねじ穴を形成し、このねじ穴に螺合させた固定ねじの先端部を、操作リングの内側に位置する固定鏡筒に当接させることで、固定していた。ところが、最近の軽量小型化の要求の中で、操作リングを薄肉の合成樹脂材料で形成するのが一般化しつつある。このため、操作リングの強度が固定ねじの反力が加わるねじ穴部分で不十分となり、最悪の場合には、操作リングがねじ穴部分から破損するというおそれが生じてきた。
【０００４】
【発明の目的】
本発明は、操作リングを小型薄肉化しても破損のおそれなく該操作リングを固定することができるＣＣＴＶカメラ用レンズ鏡筒の操作リング固定装置を得ることを目的とする。
【０００５】
【発明の概要】
本発明は、別部材としての抑え部材を付加して、この抑え部材を固定鏡筒に回動可能に支持し、この抑え部材に固定鏡筒に当接する固定ねじを螺合させれば、操作リングにねじ部を形成する必要がなく、従って操作リングの強度低下の問題を回避できるという着眼に基づいてなされたものである。
【０００６】
すなわち、本発明は、固定鏡筒の外周に、回転操作可能に操作リングを支持したＣＣＴＶカメラ用レンズ鏡筒において、固定鏡筒に操作リングと同軸に抑え部材を回転可能に支持し、操作リングに径方向の貫通穴を設け、抑え部材に光軸と平行な方向に曲折したねじ座板を設け、このねじ座板に、先端部に形成したストッパ軸部が操作リングの上記貫通穴に摺動自在に進入して固定鏡筒に当接可能な固定ねじを螺合させたことを特徴としている。
【０００７】
操作リングは、固定を要するリングであればその機能を問わないが、少なくとも焦点距離変更リングに適用するのがよい。この構成によれば操作リングを合成樹脂製とし、薄肉小型としても、単純な貫通穴を有するのみであるので、従来あったねじ部分での強度低下という欠点が生じるおそれがない。
【０００８】
【発明の実施形態】
図１、図２は、本実施形態のＣＣＴＶカメラ用レンズ鏡筒１０の全体を示している。数部材に分割されている固定鏡筒１１は、前方から順に、フォーカスリング支持筒部１１ａ、絞り機構支持筒部１１ｂ、焦点距離変更リング支持筒部１１ｃ及びマウントリング１１ｄを備えている。フォーカスリング支持筒部１１ａの外周には、フォーカスリング１２が光軸を中心とする回動操作を可能に支持されており、内周には、第１レンズ群（フォーカスレンズ群）Ｌ１を固定した第１レンズ枠１３が移動可能に嵌められている。絞り機構支持筒部１１ｂにはその内周部に絞り機構１４が設けられ、外周部にその電動駆動機構１５が支持されている。焦点距離変更リング支持筒部１１ｃの外周には焦点距離変更リング１６が光軸を中心とする回動操作を可能に支持されており、内周には、第２レンズ群（焦点距離変更レンズ群）Ｌ２を固定した第２レンズ枠１７が移動可能に嵌められている。マウントリング１１ｄは、図示しないＣＣＴＶカメラボディに着脱される。
【０００９】
固定鏡筒１１のフォーカスリング支持筒部１１ａには、光軸方向成分をもつリード溝１２ａが形成されており、フォーカスリング１２の内面には光軸と平行な方向の回転伝達溝１２ｂが形成されている。第１レンズ枠１３の外面に立てたフォロアピン１２ｃは、リード溝１２ａと回転伝達溝１２ｂに渡って嵌められており、フォーカスリング１２を回転操作すると、第１レンズ枠１３（第１レンズ群Ｌ１）がリード溝１２ａに従い回転しながら光軸方向に進退する。第１レンズ群Ｌ１が光軸方向に進退すると、フォーカス状態が変化する。なお、フォーカスリング１２は、環状波形板ばね１２ｄによって、固定鏡筒１１の先端の外方フランジ１１ｆに押し付けられて軸方向の遊びが取られている。
【００１０】
固定鏡筒１１の焦点距離変更リング支持筒部１１ｃには、光軸方向成分をもつリード溝１６ａが形成されており、焦点距離変更リング１６の内面には光軸と平行な方向の回転伝達溝１６ｂが形成されている。第２レンズ枠１７の外面に立てたフォロアピン１６ｃは、リード溝１６ａと回転伝達溝１６ｂに渡って嵌められており、焦点距離変更リング１６を回転操作すると、第２レンズ枠１７（第２レンズ群Ｌ２）がリード溝１６ａに従い回転しながら光軸方向に進退する。そして、第２レンズ群Ｌ２が光軸方向に進退すると、焦点移動を伴いながら、第１レンズ群Ｌ１と第２レンズ群Ｌ２の合成焦点距離が変化する。つまり、この実施形態のレンズ系はバリフォーカルレンズであり、第２レンズ群Ｌ２の移動の結果生じた焦点移動は、第１レンズ群Ｌ１によって補正することができる。
【００１１】
以上は、簡単なバリフォーカルレンズ鏡筒の構成例である。本実施形態の操作リング固定装置は、以上のバリフォーカルレンズ鏡筒の焦点距離変更リング１６に適用したものである。焦点距離変更リング１６には、その一部に、肉厚部１６ｄが形成されており、この肉厚部１６ｄに径方向の単純貫通穴２０が形成されている。また、固定鏡筒１１の焦点距離変更リング支持筒部１１ｃの後端部には、焦点距離変更リング１６と外方フランジ１１ｇとの間に位置させて、抑え部材２１が回動自在に支持されている。
【００１２】
抑え部材２１は、図４、図５に単体形状を示すように、焦点距離変更リング支持筒部１１ｃの外周に回動自在に嵌められ径方向に脱落することがない不完全環状板（Ｃ型環状板）２１ａと、この不完全環状板２１ａの径方向の先端一部を光軸と平行な方向に向けて曲折したねじ座板２１ｂとを有し、このねじ座板２１ｂに、固定鏡筒１１の径方向の軸線を有する雌ねじ体２１ｃが形成（固定）されている。抑え部材２１は金属材料から形成するのが実際的であるが、雌ねじ体２１ｃ（ねじ座板２１ｂ）の大きさには制限が少ないことから、雌ねじ体２１ｃを厚肉とする等で強度を確保することにより、樹脂材料から形成することも可能である。
【００１３】
この抑え部材２１の雌ねじ体２１ｃには、固定ねじ２２が螺合される。固定ねじ２２は、図３、図５に示すように、軸方向に順に、操作ノブ２２ａ、雌ねじ体２１ｃに螺合される雄ねじ部２２ｂ、及び焦点距離変更リング１６の単純貫通穴２０に挿入される単純円柱状のストッパ軸部（固定鏡筒接離部）２２ｃを有している。ストッパ軸部２２ｃと単純貫通穴２０との径は、両者の遊びが最小となるように設定される。
【００１４】
上記構成の本ＣＣＴＶカメラ用レンズ鏡筒１０は、固定ねじ２２のストッパ軸部２２ｃを焦点距離変更リング１６の単純貫通穴２０に挿通し、雄ねじ部２２ｂを抑え部材２１の雌ねじ体２１ｃに螺合させて使用する。ストッパ軸部２２ｃの先端部が固定鏡筒１１（焦点距離変更リング支持筒部１１ｃ）の外面に当接していない状態では、焦点距離変更リング１６を抑え部材２１と一緒に自由に回動させることができる。つまり、ＣＣＴＶカメラ用レンズ鏡筒１０の焦点距離を変更することができる。変更した焦点距離に固定したいときには、操作ノブ２２ａにより雄ねじ部２２ｂを雌ねじ体２１ｃに深く螺入させ、ストッパ軸部２２ｃの先端を焦点距離変更リング支持筒部１１ｃの外面に強く当接させる。すると、焦点距離変更リング１６の回動は制限され、焦点距離は固定される。上述のように、本実施形態のレンズ系はバリフォーカルレンズなので、焦点距離変更リング１６を回動させて焦点距離を変更した後、フォーカスリング１２を回動させてフォーカス調整を行う。フォーカスリング１２には、従来と同様の径方向に螺合させた固定ねじ２３が備えられており、フォーカス調整後、この固定ねじ２３を締めてその先端を固定鏡筒１１（フォーカスリング支持筒部１１ａ）外面に当接させることで、フォーカス位置も固定することができる。
【００１５】
以上の実施形態では、本発明を比較的小型の焦点距離変更リング１６に適用し、大型のフォーカスリング１２には適用していない。しかし、フォーカスリング１２にも同様に適用可能である。また、以上の実施形態は、バリフォーカルレンズ鏡筒に本発明を適用したものであるが、焦点距離の変更によって焦点移動が生じないズームレンズ鏡筒にも本発明は同様に適用できる。
【００１６】
【発明の効果】
本発明によれば、回動操作後固定する必要のある操作リングを有するＣＣＴＶカメラ用レンズ鏡筒において、操作リングを薄肉小型化しても、該操作リングを破損のおそれなく固定することができる装置が得られる。
【図面の簡単な説明】
【図１】本発明によるＣＣＴＶカメラ用レンズ鏡筒の一実施形態を示す上半断面側面図である。
【図２】図１のII矢視正面図である。
【図３】図２の一部を断面とした拡大図である。
【図４】抑え部材単独の正面図である。
【図５】図４の側面図である。
【符号の説明】
１０  ＣＣＴＶカメラ用レンズ鏡筒
１１  固定鏡筒
１１ａ  フォーカスリング支持筒部
１１ｂ  絞り機構支持筒部
１１ｃ  焦点距離変更リング支持筒部
１１ｄ  マウントリング
１１ｆ  １１ｇ  外方フランジ
１２  フォーカスリング
１３  第１レンズ枠
１４  絞り機構
１５  電動駆動機構
１６  焦点距離変更リング
１６ａ  リード溝
１６ｂ  回転伝達溝
１６ｃ  フォロアピン
１７  第２レンズ枠
２０  単純貫通穴
２１  抑え部材
２１ａ  不完全環状板
２１ｂ  ねじ座板
２１ｃ  雌ねじ体
２２  固定ねじ
２２ａ  操作ノブ
２２ｂ  雄ねじ部
２２ｃ  ストッパ軸部
【図１】
0003881582.tif 000002
【図２】
0003881582.tif 000003
【図３】
0003881582.tif 000004
【図４】
0003881582.tif 000005
【図５】
0003881582.tif 000006